(57)【要約】【課題】手に持った杖を所用あって離さねばならない時、最寄の壁面、ガラス面、車のドア等の平坦面あるいは、電柱、樹木、交通標識柱等の円柱状のもの等、場所を選ばず立てかけた際に、握り部が滑って倒れない転倒防止杖に関する技術を提供する。【解決手段】杖の握り部の少なくとも一側面に設けた２個の滑り止め突起部と、杖先ゴムキャップとの計３箇所が滑り止め支点として働き、安定して転倒を防止することを特徴とする転倒防止杖。【選択図】図１
2005270361.tif 000002
【特許請求の範囲】
【請求項１】
握り部に対して棒状の本体部が略Ｔ字状に取り付けられた杖であって、本体部先端にゴムキャップが装着されるとともに、握り部の少なくとも一側面に滑り止め用の突起部を所定間隔をあけて２個設け、立て掛けた際に２個の滑り止め突起部、及び杖先ゴムキャップとの３箇所が滑り止め支点として、転倒を防止することを特徴とする転倒防止杖。
【請求項２】
前記滑り止め突起部が設けられる位置を握り部に本体部が交わる位置を中心として左右方向に等間隔離れた位置にして前記所定間隔を本体部直径の略１倍以上とした事を特徴とする請求項１記載の転倒防止杖。
【請求項３】
握り部に対して棒状の本体部が略Ｔ字状に取り付けられた杖であって、本体部先端にゴムキャップが装着されるとともに、握り部の少なくとも一側面に滑り止め用の突起部を所定位置に１個設け、立て掛けた際に１個の滑り止め突起部、握り部の一部、及び杖先ゴムキャップとの３箇所を支点として、転倒を防止することを特徴とする転倒防止杖。
【請求項４】
前記滑り止め突起部が設けられる位置を握り部に本体部が交わる位置より、本体部直径の略１倍以上としたことを特徴とする転倒防止杖。
【発明の詳細な説明】
【技術分野】
【０００１】
本発明は杖を壁面、電柱等に立て掛けた際、握り部が滑って倒れるのを防止する転倒防止杖に関する技術を提供する。
【背景技術】
【０００２】
従来高齢者、身体障害者、歩行に不自由な人が使用している杖には、本体が木製、樹脂製、アルミ合金製、チタン合金製等で、杖先に滑り止め用ゴムキャップを付け、握り部が木製、合成樹脂製、動物の角類等でできたものが百貨店等で販売されている。
【０００３】
従来品は材質、機能性等から、軽く、丈夫で持ちやすく、使用中杖先が滑らない等の点は解決されているし、使いやすいものである。ところが、所用のため、杖を短時間でも手から離さねばならない時、最寄の壁面等に立て掛けた際、握り部が滑るため、すぐに倒れていた。その倒れた杖を拾い上げる事は、身体の不自由な障害者や高齢者にとっては大きな負担であった。又静かな場所例えば美術館等で杖が倒れた時は、大きな音が響き渡って、身の縮むような思いがしていた。
【０００４】
その欠点を解決するための発明として、特開２００１−２９２８１８がある。これはＴ字型握り部に滑り止め用ネット状衝撃吸収シートを取り付けた杖である。これには汚れやすさ、掃除のしにくさ、デザインの多様性に欠けるという欠点があった。
【０００５】
又、似た発明として特開２００１−２０４５２５がある。この発明は握り部先端下部にゴム製支点部1箇所を設け、テーブルの角に引っ掛けても滑り落ちない杖というものであるが、所用あって杖を手離さねばならぬ時、近くに壁面等はあってもテーブルはないとか、あったとしても高さは通常７０ｃｍであるが、杖の長さは通常７０ｃｍより長いため引っ掛けるのはむずかしく、テーブルの縁の側面に本体部を立て掛けようとしても回転するか滑るかで、倒れてしまうというような実情にあわぬところがあった。
【特許文献１】特開２００１−２９２８１８
【特許文献２】特開２００１−２０４５２５
【発明の開示】
【発明が解決しようとする課題】
【０００６】
転倒防止の機能に加えて、杖の握り部は汚れやすく、不潔になりがちなため、汚れにくく、清掃のしやすい衛生的なものが求められる。又、従来の使いやすさに加えて近年では高齢者や障害者のファッションの一部として美しいデザインの杖が求められる。
【課題を解決するための手段】
【０００７】
上記目的を達成するための手段は、前記特許請求の範囲に記載したとおり、請求項１の発明は、滑り止め用突起部を杖の握り部側面へ接着、嵌合、嵌入、又は一体成型したものである。この滑り止め突起部は、滑りにくさ、耐久性、清掃性、美観、着色性、加工性に優れたシリコンゴム、アクリルゴム又は合成樹脂等で製作されたものであり、握り部側面の平坦部、又は凹部にしっかりと、接着、嵌合、嵌入又は一体成型して使用される。
【発明の効果】
【０００８】
請求項１の発明は、高齢者、障害者等が所用のため杖を手から離さねばならぬ時、最寄の壁面、ガラス面、車のドア等の平坦面に立て掛けた際に、握り部側面に取り付けた滑り止め材としての滑り止め突起部が壁面等に当たるため、杖が倒れるのを防ぐものであるが、２個の滑り止め突起部を取り付けたことにより1個の時よりも大きな摩擦力が働いて倒れにくくなるし、樹木、交通標識の柱、電柱等のような円柱状のものに立て掛けた際に、１個では握り部が回転して、すぐに倒れていたのが、２個の滑り止め突起部と杖先ゴムキャップとの計３箇所が滑り止め支点として働き、安定して転倒を防止することができる。又一般社会へ不自由な自分の手足で杖をたよりに、歩いて出て行く片麻痺障害者が所用あって立ち止まり、健手で持った杖を離さねばならぬ際、立て掛ける場所がないのはよくあることで、困ってしまう。そんな時には本発明の杖を自分の身体に立て掛けて、健手で所用を済ませることが出来るものである。
【０００９】
又、本発明杖の握り部の両側面に２個ずつの滑り止め突起部を取り付けた場合には、壁面等に立て掛ける際に握り部のどちら側を壁側にするか、目で確認することなく、どちら側でも立て掛けることができる。
【００１０】
請求項３の発明は杖の握り部側面に１個の滑り止め突起部を取り付けることにより、平坦な壁面等には斜めに立て掛けてもこの滑り止め突起部と杖先ゴムキャップ、握り部の一部との３箇所が支点として働き、杖が滑って倒れるのを防止することができるものである。
【００１１】
本発明の杖の握り部はこの形状により従来のネット状のものに比べ汚れにくく、汚れた際には水拭き等の清掃がしやすいため衛生的である。
【００１２】
杖が塗装仕上げ等の場合、何度も倒していたら塗装が剥れたり、傷だらけになってしまうが、本発明により、転倒を防止することができ、この欠点を改善することができる。
【００１３】
本発明の握り部の滑り止め突起部は、握り部から指先で容易に取り去ることは困難であるが、ペンチなどを使用すれば簡単に取り去る事ができ、他のデザインの滑り止め突起部に自由に取り替えることができる。そのため衛生的であるし、違う雰囲気のデザインを楽しむ事が出来る。
【００１４】
この滑り止め突起部は例えばカラフルな花の形、動物の形等、色々な種類を用意しておけば、好みのものを選ぶことができるため、ともすれば変化に乏しく、暗くなりがちな高齢者、障害者の生活に潤いと明るさをもたらすことができる。
【００１５】
又、病院等では同じ種類の杖を持った高齢者も多く間違われやすいが、滑り止め突起部がローマ字のものがあればイニシャルにすることができ、誰の持ち物であるかがわかりやすくなる。
【００１６】
近年様々な絵柄入りデザインの杖も好まれるようであるが、杖の設計をする際に、最初から絵柄と一体的な滑り止め突起部をデザインしておけば楽しい杖を作る事が出来る。
【００１７】
本発明の握り部を手で握ると滑り止め突起部が手のつぼを柔らかく刺激して気持ちが良いという効用がある。
【発明を実施するための最良の形態】
【００１８】
発明の実施の形態について、実施例の図面を参照して説明する。図１は本発明の上記目的を解決するために、本発明の滑り止め突起部４を、握り部３の側面に２個取り付けたものの側面図である。図２は本発明の杖を壁面７に立て掛けたところ。図3は壁面７に対して斜めに立て掛けたところである。図４は電柱、樹木、交通標識の柱等、円柱状の物９に滑り止め突起部２個が同時に当たるように立て掛けたところであるが、２個の滑り止め突起部４と杖先ゴムキャップ２との３箇所が働いて転倒を防止する。図５は自分の身体等１０に向かって立て掛けたところである。図６は握り部３の両側面に違うデザインの滑り止め突起部４を各々２個取り付けた杖の平面図である。図７は本発明請求項３の側面図であり、図８はこれを平坦な壁面等に立て掛けた場合の平面図である。図９は本発明握り部の拡大断面図である。（ａ）は握り部が通常手に持ちやすい形状の丸型断面で、表面は凸凹面状のことが多いので滑り止め突起部の接着を容易にするため側面に平坦部を形成してそこへ接着したものである。（ｂ）は握り部の側面に凹部を形成し、滑り止め突起部を嵌合又は接着したものである。（ｃ）は握り部の側面に凹部を形成し、滑り止め突起部を嵌入したものである。
【産業上の利用可能性】
【００１９】
本発明は傘の柄、登山用のピッケルやトレッキング杖、床掃除道具の柄等に適用できる。
【図面の簡単な説明】
【００２０】
【図１】本発明請求項１の側面図である。
【図２】図１の杖の滑り止め突起部４が２個とも壁面7に当たるように立て掛けたところ。
【図３】図１の杖を壁面７に斜めに立て掛けたところである。
【図４】図１の杖の滑り止め突起部４が２個とも樹木電柱９等の円柱状物体に当たるように立て掛けたところである。
【図５】図１の杖を自分の身体等１０に立て掛けたところである。
【図６】本発明請求項１の握り部両側面に違うデザインの滑り止め突起部を設けた杖の平面図である。
【図７】請求項１の杖を花好きな人のために、滑り止め突起部と一体的にデザインした一例である。
【図８】本発明請求項３の杖の側面図である。
【図９】本発明請求項３の杖を壁面７に斜めに立て掛けたところ。
【図１０】本発明杖の握り部３の拡大断面図である。（ａ）は握り部３に滑り止め突起部４を接着したものである。（ｂ）は握り部３の凹部６に滑り止め突起部４を嵌合又は接着したものである。（ｃ）は握り部３の凹部６に滑り止め突起部４を嵌入したものである。
【図１１】図は特開２００１−２９２８１８の側面図である。
【符号の説明】
【００２１】
１  本体部
２  杖先ゴムキャップ
３  握り部
４  滑り止め突起部
５  平坦部
６  凹部
７  壁面
８  床面
９  樹木
１０  身体着衣
【図１】
2005270361.tif 000003
【図２】
2005270361.tif 000004
【図３】
2005270361.tif 000005
【図４】
2005270361.tif 000006
【図５】
2005270361.tif 000007
【図６】
2005270361.tif 000008
【図７】
2005270361.tif 000009
【図８】
2005270361.tif 000010
【図９】
2005270361.tif 000011
【図１０】
2005270361.tif 000012
【図１１】
2005270361.tif 000013
【手続補正書】
【提出日】平成16年3月30日(2004.3.30)
【手続補正１】
【補正対象書類名】明細書
【補正対象項目名】００１８
【補正方法】変更
【補正の内容】
【００１８】
発明の実施の形態について、実施例の図面を参照して説明する。図１は本発明の上記目的を解決するために、本発明の滑り止め突起部４を、握り部３の側面に２個取り付けたものの側面図である。図２は本発明の杖を壁面７に立て掛けたところ。図３は壁面７に対して斜めに立て掛けたところである。図４は電柱、樹木、交通標識の柱等、円柱状の物９に滑り止め突起部２個が同時に当たるように立て掛けたところであるが、２個の滑り止め突起部４と杖先ゴムキャップ２との３箇所が働いて転倒を防止する。図５は自分の身体等１０に向かって立て掛けたところである。図６は握り部３の両側面に違うデザインの滑り止め突起部４を各々２個取り付けた杖の平面図である。図７は本発明請求項１の杖の握り部を花好きな人のために、滑り止め突起部と一体的にデザインしたものの一例である。図８は本発明請求項３の杖の側面図であり、図９はこれを平坦な壁面等に斜めに立て掛けた場合の平面図である。図１０は本発明握り部の拡大断面図である。（ａ）は握り部が通常手に持ちやすい形状の丸型断面で、表面は凸凹面状のことが多いので滑り止め突起部の接着を容易にするため側面に平坦部を形成してそこへ接着したものである。（ｂ）は握り部の側面に凹部を形成し、滑り止め突起部を嵌合又は接着したものである。（ｃ）は握り部の側面に凹部を形成し、滑り止め突起部を嵌入したものである。図１１は特開２００１−２９２８１８の側面図である。